(57)【要約】プラズマ映像ディスプレイの３色である赤色、緑色および青色の発光素子の時間的応答は異なる。したがって、カラートレール／色つき縁部が、動くオブジェクトの縁部の前方および後方に発生する。このようなカラートレール／色つき縁部の妨害特性を低減するため、異なる時間的応答に対して補償すべき青色蛍光体エレメントおよび赤色蛍光体エレメントに対するビデオデータを補正することにより、カラートレール／色つき縁部をディスカラレーションする。こうすることにより、比較的妨害にならないディスカラレーションされたトレール／縁部のみが生じる。
2004532433.tif 000002
【特許請求の範囲】
【請求項１】
表示装置（１７）に表示するためのビデオ画像を処理するための方法であって、
該表示装置（１７）は、時間的応答が異なる少なくとも２種類の発光素子（Ｒ，Ｇ，Ｂ）を有する形式の方法において、
最も緩慢な時間的応答と時間的応答が異なる発光素子（Ｒ，Ｂ）に対するビデオデータを選択し、
最も緩慢な種類（Ｇ）に所属しない発光素子（Ｒ，Ｂ）を駆動するためのビデオデータを補正して、発光素子の時間的応答の差を人為的に補償することを特徴とする方法。
【請求項２】
表示装置上の動くオブジェクトの時間的なトレールを、補正ステップにおいて、補正値の空間的なグラデーションによって補償する、請求項１記載の方法。
【請求項３】
ビデオ画像の画素に対する動きベクトルを検出および／または推定し、該動きベクトルの方向において現在の画素の前方および／または後方にある所定の数の画素を補正するステップを有する、請求項１または２記載の方法。
【請求項４】
動きベクトル長が、現在の画素の前方および／または後方にある画素のうちどれを補正すべきかを決定する、請求項３記載の方法。
【請求項５】
表示されているオブジェクトの縁部に関して、指数関数的に減少する部分を、該縁部付近にある発光素子に対するビデオデータに加えて、発光素子の異なる時間的応答を補償する、請求項１から４までのいずれか１項記載の方法。
【請求項６】
現在の画素の後方にある画素に対する補正値Ｃｏｒｒ（ｘ）を、以下の数式
Corr(x) = ([Bｎ−Bｎ＋１]/255)*a*Bｎ*exp(−b*x*v)
に基づいて計算し、
ここでは、ｘはトレール上の画素位置であり、ｖは動きベクトル長であり、Ｂｎは、最も緩慢な種類に所属しない色成分の、現在の画素の位置における映像値であり、Ｂｎ＋１は、最も緩慢な種類に所属しない色成分の、隣接する画素の位置における映像値であり、ａ＋ｂは適合定数である、請求項１から５までのいずれか１項記載の方法。
【請求項７】
表示装置（１７）上に表示するためのビデオ画像を処理するための装置であって、
該表示装置（１７）は、時間的応答が異なる少なくとも２種類の発光素子（Ｒ，Ｇ，Ｂ）を有し、
１種類（Ｇ）は、時間的応答が最も緩慢である最も緩慢な種類の発光素子である形式の装置において、
補償ユニット（１２）が設けられており、
該補償ユニット（１２）は、最も緩慢な種類に所属しない発光素子（Ｂ，Ｒ）を駆動するためのビデオデータを補正することにより、発光素子の時間的応答の差が人為的に補償されることを特徴とする装置。
【請求項８】
補償ユニット（１２）は、空間的に段階的に変化された補正値を該トレールの画素に加えることにより、動くオブジェクトの時間的なトレールを補償する、請求項７記載の装置。
【請求項９】
動き推定器（１１）が設けられており、
該動き推定器（１１）は、ビデオ画像の画素に対する動きベクトルデータを供給する、請求項７または８記載の装置。
【請求項１０】
表示すべきオブジェクトの縁部に関して、該補償手段（１２）は、補正値の指数関数的に減少する部分を、縁部付近の現在の画素の推定された動きベクトルの方向にある画素に加えることにより、発光素子の異なる時間的応答を補償する、請求項７から９までのいずれか１項記載の装置。
【請求項１１】
所定の動きベクトルに対する、指数関数的に減少する部分は、ルックアップテーブルに記憶されている、請求項１０記載の装置。
【請求項１２】
該ルックアップテーブルから読み出される、指数関数的に減少する部分は、スケーリングファクタ［Ｂｎ−Ｂｎ＋１］／２５５によって適合され、
ここではＢｎは、最も緩慢な種類に所属しない色成分の、現在の画素の位置における映像値であり、Ｂｎ＋１は、最も緩慢な種類に所属しない色成分の、隣接する画素の位置における映像値である、請求項１１記載の装置。
【請求項１３】
表示装置において、
請求項７から１２までのいずれか１項記載の、ビデオ画像を処理するための装置を有することを特徴とする表示装置。
【発明の詳細な説明】
【技術分野】
【０００１】
本発明は、時間的応答が異なる少なくとも２種類の発光素子を有するディスプレイに表示するためにビデオ画像を処理するための方法に関する。さらに本発明は、ビデオ画像を処理するための相応の装置に関する。
【０００２】
背景技術
従来の標準的なＴＶ技術（ＣＲＴ）が限界への到達に近づくにつれ、幾つかの新たなディスプレイパネル（ＬＣＤ，ＰＤＰ，ＯＬＥＤ，ＤＭＤ・・・）が、製造者からますます大きな関心を集めている。実にこれらの技術は、非常に限られた奥行きを有する本当のフラットカラーパネルの実現を可能にする。
【０００３】
ヨーロッパのＴＶの最新の世代に関しては、多くの製品が製造され、その画質が証明されている。その結果、これらの新たな技術によって、標準的なＣＲＴ ＴＶ技術と同等の画質またはそれ以上に良好な画質を提供しなければならない。一方ではこれらの新たな技術によって、フラットスクリーンの可能性、魅力的な薄さの可能性が得られるが、他方では、新たな種類のアーティファクトが発生し、これによって画質が低減するおそれがある。このアーティファクトの大半はＣＲＴ‐ＴＶ画像と異なっており、より可視的である。というのも、人々は従来のＴＶアーティファクトを習慣的に無意識に見ていたからである。
【０００４】
このようなアーティファクトの１つは、パネルにおいて使用されるＲＧＢ色に対する異なる３つの発光材料の時間的応答が異なることに起因する。この差によって、主に暗い背景で動く明るいオブジェクト（またはその逆）の後方および前方にカラートレール（coloured trail）が発生する。プラズマディスプレイパネル（ＰＤＰ）の場合、このアーティファクトは「蛍光体応答遅延（phosphor lag effect）」作用として知られている。
【０００５】
図１は、未処理シーンに及ぼされるこのような蛍光体応答遅延作用のシミュレーションを示している。この未処理シーンは、実質的に垂直方向に動いている。暗い背景と白色のズボンとの縁部にカラートレールが存在する。
【０００６】
プラズマパネルでは、赤色発光素子、緑色発光素子および青色発光素子（蛍光体とも称されるが、必ずしも化学元素Ｐを有するとは限らない）の特性は、各蛍光体の化学的特性に起因して同じではない。さらに寿命および輝度は、特性が均質であって初めて向上させることができる。測定によれば、緑色蛍光体が最も緩慢であり、青色蛍光体が最も迅速であり、赤色蛍光体はほぼその中間であることが示されている。したがって、動く白色のオブジェクトの後方には黄緑色のトレールが発生し、前方には青色の領域が発生する。このことは図２に示されている。
【０００７】
本願出願前のThomson multimediaの特許出願ＦＲ００１０９２２から公知である１つの解決手段は、時間的な領域において青色成分を補正してカラートレールを補償することである。
【０００８】
蛍光体応答遅延問題は、主に動くオブジェクトの強い縁部、とりわけ明暗の移行部またはその逆の移行部に現れる。プラズマディスプレイパネル（ＰＤＰ）の場合、この結果として、明から暗への各移行部の後方に少し黄色みを帯びたトレールが生じ、この前方に青色領域が発生する。これは、蛍光体の時間的応答の差による結果である。
【０００９】
本発明
本発明の目的は、蛍光体応答遅延アーティファクトによる、ユーザに対しての妨害を低減することである。
【００１０】
将来的には、新たな化学的蛍光体粉末を開発し、緑色蛍光体および赤色蛍光体をより迅速にすることにより、このような問題を回避することができるかもしれない。しかし現在は、単なる信号処理手法によって完全にこのような作用を抑圧することはできない。だが、この作用によるユーザに対しての妨害を低減するように努力することはできる。
【００１１】
最も厄介なのはトレールではなく、その色である。そのため本発明では、トレールをビデオ処理手段によってディスカラレーション（discolouration）することが提案されている。このような手段はＰＤＰに対してだけでなく、ＬＣＤ等に対しても使用することができる。全般的な思想は、人為的なカラートレールを蛍光体トレールに加えることにより、該蛍光体トレールをディスカラレーションすることである。ここでは、画素に対する動きベクトルを計算する動き推定器が、前記のような補償を実行しなければならない。
【００１２】
このようにして、前記目的は、請求項１に記載された方法および請求項７に記載された装置によって解決される。
【００１３】
トレールをディスカラレーションするためには、計算された動きベクトルの方向にある、隣接する２つ以上の画素の映像値の間の差が、指数関数的に減少する関数に対するスケーリングファクタとして使用される。これによって、人為的なトレールに対する映像値が計算される。こうすることにより、補償すべきトレールを発見するために別個の縁部検出器を実現する必要がなくなる。本発明によれば、動くオブジェクトの後方にあるトレールだけが補償されるのではない。本発明の実施形態では、動くオブジェクトの前方に存在する色つきの縁部も補償される。したがって本発明は、動くオブジェクトの後方に存在する未処理の緑色／赤色トレールに、人為的な補色の（赤色／青色）トレールを加え、前方では赤色／青色領域を除去し、人間の目によってオブジェクトの色が異なることを知覚されないようにすることを含んでいる。これらの色つき領域は、推定された動きベクトルによって定義された動き軌道上に加えられる。
【００１４】
有利な実施形態は、従属項に記載されている。
【００１５】
要約すると、本発明は以下の利点を有する。
【００１６】
・「蛍光体応答遅延」問題によるトレール、概して言えば、マトリクスパネルにおいて使用される３色の時間的応答が異なることに起因するトレールをディスカラレーションすることができる。
【００１７】
・実行される補償は完全にフレキシブルである。これを、すべての種類の蛍光体またはパネルに適合することができ、トレールの値が完全に可変になる。この提案は、依存的な技術ではないビデオ信号処理部に影響する。
【００１８】
・この補償は、画像全体で実行される。閾値が導入されないので、予想外の新たなアーティファクトが現れることがない。
【００１９】
図面
本発明の実施例は図面に示されており、以下の明細書においてより詳細に説明されている。
【００２０】
図１  未処理シーンに及ぼされる蛍光体応答遅延作用のシミュレーションを示している。
【００２１】
図２  蛍光体応答遅延作用を説明するための原理図である。
【００２２】
図３  赤色蛍光体エレメント、緑色蛍光体エレメントおよび青色蛍光体エレメントの時間的応答と、本発明によって補償された時間的応答とを示している。
【００２３】
図４  空間的なグラデーションによる時間的なトレールの補償を示している。
【００２４】
図５  推定された動きベクトルの方向にあるトレールのディスカラレーションを示している。
【００２５】
図６  図２と対照的に、トレールのディスカラレーションの原理図である。
【００２６】
図７  本発明による装置の回路構成のブロック図である。
【００２７】
実施例
本発明の有利な実施形態を、図３〜７に即して説明する。
【００２８】
緑色蛍光体（最も緩慢な蛍光体）を信号処理だけでさらに迅速にするのは不可能であるから、本発明では図３に示されているように、赤色蛍光体および青色蛍光体がより緩慢にされる。
【００２９】
このことは、緑色／赤色トレールに、後方で赤色／青色トレール（緑色／赤色の補色）を加え、前方で赤色／青色領域を赤色／青色領域から除去することに相応する。その結果、後方に灰色のトレールが発生し、前方に灰色の縁部が発生する。これらによって、カラートレール／色つき縁部ほど妨害になることはない。
【００３０】
加えるべきトレールの形状および値を形成するため、３つの蛍光体の応答がフォトダイオードによって予め測定される。この値から、赤色蛍光体エレメントおよび青色蛍光体エレメントに対してトレールが形成される。
【００３１】
図４Ａおよび４Ｂはトレールの例を示している。ここでは、たとえば画素Ｐ３〜Ｐ１８から成る白色の矩形が黒色の背景で、１フレームあたり７画素だけ右方へシフトする。図４Ａにおいて最上部の図は、時点ｎ×Ｔにおいて１つの映像線に存在する赤色画素エレメント、緑色画素エレメントおよび青色画素エレメントの映像値を示している。ここではｎはフレーム数であり、Ｔはフレーム周期である。画素Ｐ１およびＰ２は背景の画素であるから、映像値は示されていない。画素Ｐ３〜Ｐ１８は白色スクリーンの１つの線を表示し、たとえば８ビット値が使用される場合、映像値は２５５である。
【００３２】
図４Ａの第２の図は、時点（ｎ＋１）×Ｔ＋ｔにおいてスクリーンの白色の部分Ｐ３〜Ｐ９に入力される黒色の背景を示している。ここでは、０＜ｔ＜Ｔである。所定の時間において、７画素の各グループは等しい値を有し、この値はこの時間の間に減少する。時点（ｎ＋１）×Ｔ＋ｔにおいて黒色の背景が白色の矩形の部分Ｐ３〜Ｐ９へ入力された後、間もなく青色の７画素の値は０になり、赤色の７画素は未だ中間の値を有し、緑色の７画素は未だに高い輝度値を有している。空間的な指数関数に相応する値は、斜線を入れて示されているように、ここではまだ顧慮すべきではない。
【００３３】
図４Ａの第３の図に示されている時点（ｎ＋１）×Ｔ＋ｔ' では、ｔ' ＞ｔおよび０＜ｔ' ＜Ｔであり、ここでは７つの赤色画素および緑色画素Ｐ３〜Ｐ９の値がさらに減少している。図４Ｂに示されているその後の時点（ｎ＋２）×Ｔ＋ｔでは、前記値はなお継続して減少しており、黒色の背景は別の７つの画素Ｐ１０〜Ｐ１６だけ前方へシフトされる。こうすることにより画素Ｐ１０〜Ｐ１６の画素値は、図４Ａの第２の図の画素Ｐ３〜Ｐ９の画素値と等しくなる。
【００３４】
しかし、人間の肉眼がこの動きを追うと、前記７画素に対する値は等しく見えず、グラデーションのみが見える。このことは、動的偽輪郭作用（dynamic false contour effect）と称される別の作用によるものである。このことは、ヨーロッパ特許出願００２５０１８２．３，００２５０３９０．２，００２５０２３０．０およびＥＰ−Ａ９７８８１７等の本願出願前の特許出願に詳細に記載されている。それゆえ、図４Ａおよび４Ｂに示されているように、時間的なトレールは空間的なグラデーションによって補償される。この空間的グラデーションは、動きベクトルと蛍光体の遅延プロセスの測定値とに依存する。空間的グラデーションは、駆動値（サステインパルス）を、たとえば縁部から指数関数的に低下していく青色画素および赤色画素に加えることによって実現される。この加えられる値は、斜線を入れて、図４Ａの第１の図以外の図および４Ｂに示されている。
【００３５】
この補償はオブジェクトの前方でも類似している。しかし異なる時間的応答は、トレールを加えるのではなく、優勢な青色成分に対する映像値を低減することによって補償される。要するに、動くオブジェクトの前方縁部において赤色蛍光体および緑色蛍光体をより多くのサステインパルスによって活性化し、および／または青色蛍光体に対するサステインパルスを低減することによって、補償が行われる。
【００３６】
加えるべきトレールの方向および大きさを求めるためには、動き推定器が必要である。図５に示されているように、動きベクトルによって定義された方向にトレールが加えられる。このトレールは、その時点で所定の場所において推定された、緑色値と青色値との間の差に比例する。ここでは、青色成分に加えられる値が非線形で、たとえば減少する指数関数によって減少する様子が示されている。この減少型指数関数は、次のような形態である。
Corr(x) = ([Bｎ−Bｎ＋１]/255)*a*Bｎ*exp(−b*x*v)
ここでは、ｘはトレール上の画素位置であり、ｖは動きベクトル長さであり、Ｂｎは現在の画素位置における青色成分の映像値であり、Ｂｎ＋１は隣接する画素の位置における青色成分の映像値であり、ａおよびｂは適合定数である。スケーリングファクタ [Bｎ−Bｎ＋１]/255 は、変化の強さに対する補正を適合するために使用される。たとえば、隣接する２つの画素間の差が限界内にある場合、補正は０になる。このことによって、補正アルゴリズムを実現するのが簡単になる。補正アルゴリズムは、画像の各画素に対して簡単に実行される。特別な縁部検出器を実現する必要はない。
【００３７】
所定のパネルタイプに対して、精確に測定して最良の適合定数ａおよびｂを発見するのが最善である。実施を簡単にするためには、異なる動きベクトルに対して、補正値が記憶された複数のルックアップテーブルが使用される。加えるべきトレールの長さは、動きベクトルの長さによって求められる。動きベクトル長が７画素である場合、加えるべきトレールは７画素にわたって、動きベクトルの逆方向に分布されている。このことは図５に示されている。こうすることにより、新たなアーティファクトの挿入が阻止される。
【００３８】
この補償法において使用しなければならない動き推定器は、画素ごとにベクトルを供給するのであれば、どのタイプでもよい。このような動き推定器は、従来の技術において存在する。特別にＰＤＰ技術に適合された動き推定器は、たとえばＷＯ‐Ａ‐０１／２４１５２から公知である。したがって本発明の開示において動き推定器に関しては、詳細にはこの特許公報も参照されたい。
【００３９】
前記公報の出願は、動き方向が単に水平であるか垂直であれば、非常に簡単である。他の方向に関しては、逆の動きベクトルに沿って補正を分布させるのがより複雑になる。しかし、画素位置の座標を各動きベクトルに対するルックアップテーブルに記憶することにより、複雑な計算を省略できる。たとえば動きが、１フレームあたり７画素だけ右方へ、かつ１フレームあたり７画素だけ下方へなされている場合、逆の動きベクトルに沿っている７画素のみが、トレールを付加するために使用される。
【００４０】
図６は、白色の矩形が黒色の背景で動いている場合のこのようなアルゴリズムの実現を示している。左の部分には、図２の画像が再び示されている。右の部分には、補償された画像が示されている。図２と比較すると、本発明の成果が理解できる。後方に位置する蛍光体トレールおよび動くオブジェクトの前方に位置する蛍光体トレールは、長さの点では変化していないが、不自然な色つきの具合が消失している。このような処理によって、動くオブジェクトはユーザの目に対してより自然に見えるようになる。この実施例では、青色成分での補償は動き画素においてだけでなく、動き画素の後方にある２つの画素でも実施される。
【００４１】
図７には、本発明の回路構成が示されている。第１のフレームＦｎの入力ＲＧＢビデオデータが、フレームメモリ１０および動き推定器１１へ伝送される。動き推定器１１は、フレームＦｎ−１の画素に対する動きベクトルデータＶｘおよびＶｙを供給する。この情報は、蛍光体応答遅延補償ユニット１２で使用される。動き推定器１１は動きベクトルデータを補償ユニット１２へ供給し、動きベクトル情報によって補償ユニット１２は、初期補正値を有する適切なルックアップテーブルを見つける。この値をスケーリングファクタ[Bｎ−Bｎ＋１]/255によって乗算することにより、最終的な補正値が得られる。
【００４２】
補償されたＲ成分、Ｇ成分およびＢ成分は、サブフィールド符号化ユニット１３へ伝送される。このサブフィールド符号化ユニット１３は、制御ユニット１４の制御下でサブフィールド符号化を実行する。サブフィールドコードワードは、メモリユニット１４に記憶されている。外部制御ユニット１６は、このメモリユニットからの読み出しおよび該メモリユニットへの書き込みも実行する。外部制御ユニット１６は、ユニット１０〜１２を制御するためのタイミング信号も形成する（図示されていない）。プラズマディスプレイパネルのアドレシングのためには、サブフィールドコードワードが記憶装置から読み出され、１つのラインに対するすべてのコードワードが収集され、非常に長い単一のコードワードが形成される。この単一のコードワードは、ライン方式のＰＤＰアドレシングのために使用される。このライン方式のＰＤＰアドレシングは、直並列変換ユニット１５で実行される。制御ユニット１６はＰＤＰ制御のために、すべての走査パルスおよびサステインパルスを形成し、基準タイミングのために水平方向の同期信号および垂直方向の同期信号を受信する。
【００４３】
前記技術は、時間的応答が異なる３色のための光源を基礎とするすべてのディスプレイに適用することができる。とりわけ本発明は、ＰＤＰ，ＬＣＤ，ＯＬＥＤおよびＬＣＯＳディスプレイに適用することができる。
【００４４】
冒頭に記載されているように、カラートレールを、時間領域におけるたとえば青色成分を変更することによって補償することができる。しかし、この技術は本発明の技術に対して相補的であるから、両技術を一緒に適用することができる。
【図面の簡単な説明】
【００４５】
【図１】未処理シーンに及ぼされる蛍光体応答遅延作用のシミュレーションを示している。
【００４６】
【図２】蛍光体応答遅延作用を説明するための基本的な図である。
【００４７】
【図３】赤色蛍光体エレメント、緑色蛍光体エレメントおよび青色蛍光体エレメントの時間的応答と、本発明によって補償された時間的応答とを示している。
【００４８】
【図４Ａ】空間的なグラデーションによる時間的なトレールの補償を示している。
【００４９】
【図４Ｂ】空間的なグラデーションによる時間的なトレールの補償を示している。
【００５０】
【図５】推定された動きベクトルの方向にあるトレールのディスカラレーションを示している。
【００５１】
【図６】図２と対照的に、トレールのディスカラレーションの基本的な図である。
【００５２】
【図７】本発明による装置の回路構成のブロック図である。
【図２】
2004532433.tif 000003
【図３】
2004532433.tif 000004
【図４Ａ】
2004532433.tif 000005
【図４Ｂ】
2004532433.tif 000006
【図５】
2004532433.tif 000007
【図６】
2004532433.tif 000008
【図７】
2004532433.tif 000009
【国際公開パンフレット】
2004532433.tif 000010
2004532433.tif 000011
2004532433.tif 000012
2004532433.tif 000013
2004532433.tif 000014
2004532433.tif 000015
2004532433.tif 000016
2004532433.tif 000017
2004532433.tif 000018
2004532433.tif 000019
2004532433.tif 000020
2004532433.tif 000021
2004532433.tif 000022
2004532433.tif 000023
2004532433.tif 000024
2004532433.tif 000025
2004532433.tif 000026
2004532433.tif 000027
2004532433.tif 000028
2004532433.tif 000029
【手続補正書】
【提出日】平成15年6月6日(2003.6.6)
【手続補正１】
【補正対象書類名】特許請求の範囲
【補正対象項目名】請求項２
【補正方法】変更
【補正の内容】
【請求項２】
補正ステップにおいて、段階的に変化された補正値を、トレールの画素の最も緩慢な種類（Ｇ）に所属しないビデオデータに加えることによって、表示装置上の動くオブジェクトの時間的なトレールを補償する、請求項１記載の方法。
【手続補正２】
【補正対象書類名】特許請求の範囲
【補正対象項目名】請求項８
【補正方法】変更
【補正の内容】
【請求項８】
補償ユニット（１２）は、空間的に段階的に変化された補正値を、トレールの画素の最も緩慢な種類（Ｇ）に所属しないビデオデータに加えることにより、動くオブジェクトの時間的な該トレールを補償する、請求項７記載の装置。
【手続補正書】
【提出日】平成15年7月15日(2003.7.15)
【手続補正１】
【補正対象書類名】特許請求の範囲
【補正対象項目名】請求項１
【補正方法】変更
【補正の内容】
【請求項１】
表示装置（１７）に表示するためのビデオ画像を処理するための方法であって、
該表示装置（１７）は、時間的応答が異なる少なくとも２種類の発光素子（Ｒ，Ｇ，Ｂ）を有する形式の方法において、
最も緩慢な時間的応答と時間的応答が異なる発光素子（Ｒ，Ｂ）に対する少なくとも１つの色成分ビデオデータを選択し、
サブフィールド符号化のステップが実行される前に、最も緩慢な種類（Ｇ）に所属しない発光素子（Ｒ，Ｂ）を駆動するための色成分ビデオデータを補正して、発光素子の時間的応答の差を人為的に補償することを特徴とする方法。
【手続補正２】
【補正対象書類名】特許請求の範囲
【補正対象項目名】請求項７
【補正方法】変更
【補正の内容】
【請求項７】
表示装置（１７）上に表示するためのビデオ画像を処理するための装置であって、
該表示装置（１７）は、時間的応答が異なる少なくとも２種類の発光素子（Ｒ，Ｇ，Ｂ）を有し、
１種類（Ｇ）は、時間的応答が最も緩慢である最も緩慢な種類の発光素子である形式の装置において、
補償ユニット（１２）が設けられており、
該補償ユニット（１２）は、最も緩慢な種類に所属しない発光素子（Ｂ，Ｒ）を駆動するための少なくとも１つの色成分ビデオデータを補正することにより、発光素子の時間的応答の差が人為的に補償され、
該補償ユニット（１２）は、信号処理経路に関して、サブフィールド符号化ユニット（１３）より前方に位置付けられていることを特徴とする装置。
【国際調査報告】
2004532433.tif 000030
2004532433.tif 000031
2004532433.tif 000032